(57)【特許請求の範囲】
【請求項１】
入力された入力データを記憶して処理する情報処理装置において、
前記入力データの少なくとも一部を、内部の内部記憶媒体に記憶させる第１の記憶制御手段と、
前記入力データの少なくとも一部を、前記内部記憶媒体に比べて大容量の外部の外部記憶媒体に記憶させる第２の記憶制御手段と、
所定の前記入力データに対して所定の処理を実行させるための指令を入力する入力手段と、
前記指令に対応する前記所定の入力データが記憶されている前記外部記憶媒体が装着されているとき、その入力データを前記外部記憶媒体から読み出して、前記指令に応じた処理を実行し、前記指令に対応する前記所定の入力データが記憶されている前記外部記憶媒体が装着されていないとき、その外部記憶媒体の装着をユーザに促す表示を行う処理手段と、
異なる属性を有する複数の構成データからなる前記入力データから、前記構成データ毎に前記属性を検出する検出手段と
を備え、
前記第１の記憶制御手段は、前記検出手段によりデータ量が少ない第１の属性が検出されたとき、前記入力データの構成データのうち、前記第１の属性を有する前記構成データを前記内部記憶媒体に記憶させ、
前記第２の記憶制御手段は、前記検出手段によりデータ量が大きい第２の属性が検出されたとき、前記入力データの構成データのうち、前記第２の属性を有する前記構成データを前記外部記憶媒体に記憶させる
ことを特徴とする情報処理装置。
【請求項２】
前記第２の記憶制御手段により前記外部記憶媒体に記憶される前記構成データの識別情報、および前記構成データが記憶される前記外部記憶媒体の識別情報を生成するとともに、前記構成データの識別情報、前記外部記憶媒体の識別情報、および前記構成データが記憶されている前記外部記憶媒体上の位置を表す情報を管理情報として管理する管理手段と、
前記管理情報に基づいて、前記構成データごとに、その構成データが記憶される前記外部記憶媒体を表す情報を表示させる表示制御手段と
をさらに備える
ことを特徴とする請求項１に記載の情報処理装置。
【請求項３】
入力された入力データを記憶して処理する情報処理装置の情報処理方法において、
前記入力データの少なくとも一部を、内部の内部記憶媒体に記憶させる第１の記憶制御ステップと、
前記入力データの少なくとも一部を、前記内部記憶媒体に比べて大容量の外部の外部記憶媒体に記憶させる第２の記憶制御ステップと、
所定の前記入力データに対して所定の処理を実行させるための指令に対応して、その所定の入力データが記憶されている前記外部記憶媒体が装着されているとき、その入力データを前記外部記憶媒体から読み出して、前記指令に応じた処理を実行し、前記所定の入力データが記憶されている前記外部記憶媒体が装着されていないとき、その外部記憶媒体の装着をユーザに促す表示を行う処理ステップと、
異なる属性を有する複数の構成データからなる前記入力データから、前記構成データ毎に前記属性を検出する検出ステップと
を含み、
前記第１の記憶制御ステップの処理では、前記検出ステップの処理によりデータ量が少ない第１の属性が検出されたとき、前記入力データの構成データのうち、前記第１の属性を有する前記構成データを前記内部記憶媒体に記憶させ、
前記第２の記憶制御ステップの処理では、前記検出ステップの処理によりデータ量が大きい第２の属性が検出されたとき、前記入力データの構成データのうち、前記第２の属性を有する前記構成データを前記外部記憶媒体に記憶させる
ことを特徴とする情報処理方法。
【請求項４】
コンピュータに、
入力された入力データの少なくとも一部を、内部の内部記憶媒体に記憶させる第１の記憶制御ステップと、
前記入力データの少なくとも一部を、前記内部記憶媒体に比べて大容量の外部の外部記憶媒体に記憶させる第２の記憶制御ステップと、
所定の前記入力データに対して所定の処理を実行させるための指令に対応して、その所定の入力データが記憶されている前記外部記憶媒体が装着されているとき、その入力データを前記外部記憶媒体から読み出して、前記指令に応じた処理を実行し、前記所定の入力データが記憶されている前記外部記憶媒体が装着されていないとき、その外部記憶媒体の装着をユーザに促す表示を行う処理ステップと、
異なる属性を有する複数の構成データからなる前記入力データから、前記構成データ毎に前記属性を検出する検出ステップと
を含み、
前記第１の記憶制御ステップの処理では、前記検出ステップの処理によりデータ量が少ない第１の属性が検出されたとき、前記入力データの構成データのうち、前記第１の属性を有する前記構成データを前記内部記憶媒体に記憶させ、
前記第２の記憶制御ステップの処理では、前記検出ステップの処理によりデータ量が大きい第２の属性が検出されたとき、前記入力データの構成データのうち、前記第２の属性を有する前記構成データを前記外部記憶媒体に記憶させる
処理を実行させるためのプログラムを記録したコンピュータが読み取り可能な記録媒体。
【請求項５】
コンピュータに、
入力された入力データの少なくとも一部を、内部の内部記憶媒体に記憶させる第１の記憶制御ステップと、
前記入力データの少なくとも一部を、前記内部記憶媒体に比べて大容量の外部の外部記憶媒体に記憶させる第２の記憶制御ステップと、
所定の前記入力データに対して所定の処理を実行させるための指令に対応して、その所定の入力データが記憶されている前記外部記憶媒体が装着されているとき、その入力データを前記外部記憶媒体から読み出して、前記指令に応じた処理を実行し、前記所定の入力データが記憶されている前記外部記憶媒体が装着されていないとき、その外部記憶媒体の装着をユーザに促す表示を行う処理ステップと、
異なる属性を有する複数の構成データからなる前記入力データから、前記構成データ毎に前記属性を検出する検出ステップと
を含み、
前記第１の記憶制御ステップの処理では、前記検出ステップの処理によりデータ量が少ない第１の属性が検出されたとき、前記入力データの構成データのうち、前記第１の属性を有する前記構成データを前記内部記憶媒体に記憶させ、
前記第２の記憶制御ステップの処理では、前記検出ステップの処理によりデータ量が大きい第２の属性が検出されたとき、前記入力データの構成データのうち、前記第２の属性を有する前記構成データを前記外部記憶媒体に記憶させる
処理を実行させるためのプログラム。
【発明の詳細な説明】
【０００１】
【発明の属する技術分野】
本発明は、情報処理装置および方法、記録媒体、並びにプログラムに関し、特に、入力されたデータを適切に記憶することができるようにした情報処理装置および方法、記録媒体、並びにプログラムに関する。
【０００２】
【従来の技術】
入力された情報を記憶して処理する小型の電子機器（例えば、携帯電話機）は、入力された情報を内部の記憶媒体（メモリ）に記憶させて処理する場合がある。
【０００３】
【発明が解決しようとする課題】
しかしながら、従来の小型の電子機器に内蔵される内部メモリは、その記憶容量が小さいので、入力された情報を適切に記憶することができず、結局、その情報を利用するができなくなる課題があった。
【０００４】
例えば、従来の小型の電子機器では、新たな入力情報を内部メモリに記憶するために、先に記憶された入力情報の削除を頻繁に行わなければならず、このことにより古い情報を、長い間保持しておくことができなかった。その結果、例えば、古い受信情報を、後になって必要になった場合でも、ユーザはそれを見ることができない不都合が生じていた。
【０００５】
また、記憶したい入力情報のデータ量が、内部メモリの記憶容量を超えている場合、その入力情報を記憶することができず、結局、その情報を利用することができなかった。
【０００６】
本発明はこのような状況に鑑みてなされたものであり、入力された入力情報を適切に利用することができるように、入力情報を記憶することができるようにするものである。
【０００７】
【課題を解決するための手段】
本発明の情報処理装置は、入力データの少なくとも一部を、内部の内部記憶媒体に記憶させる第１の記憶制御手段と、入力データの少なくとも一部を、内部記憶媒体に比べて大容量の外部の外部記憶媒体に記憶させる第２の記憶制御手段と、所定の入力データに対して所定の処理を実行させるための指令を入力する入力手段と、指令に対応する所定の入力データが記憶されている外部記憶媒体が装着されているとき、その入力データを外部記憶媒体から読み出して、指令に応じた処理を実行し、指令に対応する所定の入力データが記憶されている外部記憶媒体が装着されていないとき、その外部記憶媒体の装着をユーザに促す表示を行う処理手段と、異なる属性を有する複数の構成データからなる入力データから、構成データ毎に属性を検出する検出手段とを備え、第１の記憶制御手段は、検出手段によりデータ量が少ない第１の属性が検出されたとき、入力データの構成データのうち、第１の属性を有する構成データを内部記憶媒体に記憶させ、第２の記憶制御手段は、検出手段によりデータ量が大きい第２の属性が検出されたとき、入力データの構成データのうち、第２の属性を有する構成データを外部記憶媒体に記憶させることを特徴とする。
【００１１】
第２の記憶制御手段により外部記憶媒体に記憶される構成データの識別情報、および構成データが記憶される外部記憶媒体の識別情報を生成するとともに、構成データの識別情報、外部記憶媒体の識別情報、および構成データが記憶されている外部記憶媒体上の位置を表す情報を管理情報として管理する管理手段と、管理情報に基づいて、構成データごとに、その構成データが記憶される外部記憶媒体を表す情報を表示させる表示制御手段とをさらに設けることができる。
【００１２】
本発明の情報処理方法は、入力データの少なくとも一部を、内部の内部記憶媒体に記憶させる第１の記憶制御ステップと、入力データの少なくとも一部を、内部記憶媒体に比べて大容量の外部の外部記憶媒体に記憶させる第２の記憶制御ステップと、所定の入力データに対して所定の処理を実行させるための指令に対応して、その所定の入力データが記憶されている外部記憶媒体が装着されているとき、その入力データを外部記憶媒体から読み出して、指令に応じた処理を実行し、所定の入力データが記憶されている外部記憶媒体が装着されていないとき、その外部記憶媒体の装着をユーザに促す表示を行う処理ステップと、異なる属性を有する複数の構成データからなる入力データから、構成データ毎に属性を検出する検出ステップとを含み、第１の記憶制御ステップの処理では、検出ステップの処理によりデータ量が少ない第１の属性が検出されたとき、入力データの構成データのうち、第１の属性を有する構成データを内部記憶媒体に記憶させ、第２の記憶制御ステップの処理では、検出ステップの処理によりデータ量が大きい第２の属性が検出されたとき、入力データの構成データのうち、第２の属性を有する構成データを外部記憶媒体に記憶させることを特徴とする。
【００１３】
本発明の記録媒体のプログラムは、コンピュータに、入力された入力データの少なくとも一部を、内部の内部記憶媒体に記憶させる第１の記憶制御ステップと、入力データの少なくとも一部を、内部記憶媒体に比べて大容量の外部の外部記憶媒体に記憶させる第２の記憶制御ステップと、所定の入力データに対して所定の処理を実行させるための指令に対応して、その所定の入力データが記憶されている外部記憶媒体が装着されているとき、その入力データを外部記憶媒体から読み出して、指令に応じた処理を実行し、所定の入力データが記憶されている外部記憶媒体が装着されていないとき、その外部記憶媒体の装着をユーザに促す表示を行う処理ステップと、異なる属性を有する複数の構成データからなる入力データから、構成データ毎に属性を検出する検出ステップとを含み、第１の記憶制御ステップの処理では、検出ステップの処理によりデータ量が少ない第１の属性が検出されたとき、入力データの構成データのうち、第１の属性を有する構成データを内部記憶媒体に記憶させ、第２の記憶制御ステップの処理では、検出ステップの処理によりデータ量が大きい第２の属性が検出されたとき、入力データの構成データのうち、第２の属性を有する構成データを外部記憶媒体に記憶させる処理を実行させるためのプログラムである。
【００１４】
本発明のプログラムは、コンピュータに、入力された入力データの少なくとも一部を、内部の内部記憶媒体に記憶させる第１の記憶制御ステップと、入力データの少なくとも一部を、内部記憶媒体に比べて大容量の外部の外部記憶媒体に記憶させる第２の記憶制御ステップと、所定の入力データに対して所定の処理を実行させるための指令に対応して、その所定の入力データが記憶されている外部記憶媒体が装着されているとき、その入力データを外部記憶媒体から読み出して、指令に応じた処理を実行し、所定の入力データが記憶されている外部記憶媒体が装着されていないとき、その外部記憶媒体の装着をユーザに促す表示を行う処理ステップと、異なる属性を有する複数の構成データからなる入力データから、構成データ毎に属性を検出する検出ステップとを含み、第１の記憶制御ステップの処理では、検出ステップの処理によりデータ量が少ない第１の属性が検出されたとき、入力データの構成データのうち、第１の属性を有する構成データを内部記憶媒体に記憶させ、第２の記憶制御ステップの処理では、検出ステップの処理によりデータ量が大きい第２の属性が検出されたとき、入力データの構成データのうち、第２の属性を有する構成データを外部記憶媒体に記憶させる処理を実行させるためのプログラムである。
【００１５】
本発明の情報処理装置および方法、並びにプログラムにおいては、入力データの少なくとも一部が、内部の内部記憶媒体に記憶され、入力データの少なくとも一部が、内部記憶媒体に比べて大容量の外部の外部記憶媒体に記憶され、所定の入力データに対して所定の処理を実行させるための指令に対応して、その所定の入力データが記憶されている外部記憶媒体が装着されているとき、その入力データが外部記憶媒体から読み出されて、指令に応じた処理が実行され、所定の入力データが記憶されている外部記憶媒体が装着されていないとき、その外部記憶媒体の装着をユーザに促す表示が行われる。なお、入力データは、異なる属性を有する複数の構成データからなり、その構成データ毎に属性が検出され、内部記憶媒体には、データ量が少ない第１の属性が検出されたとき、入力データの構成データのうち、第１の属性を有する構成データが記憶され、外部記憶媒体には、データ量が大きい第２の属性が検出されたとき、入力データの構成データのうち、第２の属性を有する構成データが記憶される。
【００１６】
【発明の実施の形態】
図１は、本発明を適用したビデオカメラ１の利用例を示している。
【００１７】
ビデオカメラ１には、記憶容量がそれほど大きくない内部メモリ１６が内蔵されているとともに、内部メモリ１６に比べて大容量の、ディスク１０Ａまたはメモリスティック（商標）１０Ｂなどの記録メディア１０が装着されるようになされている。
【００１８】
ビデオカメラ１は、ネットワーク２を介して、サーバ３または端末４等と通信し、それらから送信されてきた情報を受信し、それを、必要に応じた形態で内部メモリ１６または記録メディア１０に記憶する。
【００１９】
例えば、ビデオカメラ１は、受信情報のすべてを、内部メモリ１６と記録メディア１０の両方に記録する（以下、第１の記憶処理と称する）。
【００２０】
受信情報を内部メモリ１６のみに記憶するようにすると、内部メモリ１６の記憶容量は大きくないので、記憶領域を確保するために、先に記憶されてきた情報を頻繁に削除しなければならず、古い情報を、長い間保持しておくことができない。
【００２１】
そこで、ビデオカメラ１は、に受信情報を内部メモリ１６記録するときに、同じ情報を、記録メディア１０にも記録する。すなわち、ビデオカメラ１は、受信情報のバックアップを行い、内部メモリ１６に記憶された受信情報が、新たな受信情報を記憶するために削除されても、それと同じ受信情報を記録メディア１０から読み出すことができる。
【００２２】
また、ビデオカメラ１は、受信情報を、はじめに内部メモリ１６に記憶しようとするが、受信情報のデータ量が、内部メモリ１６の記憶容量を超えている場合、内部メモリ１６に記憶することができない残りのデータを、記録メディア１０に記録する（以下、第２の記憶処理と称する）。このことにより、ビデオカメラ１は、データ量が大きい受信情報を受信しても、それを取り扱うことができる。
【００２３】
また、ビデオカメラ１は、受信情報が複数の属性のデータから構成されている場合（例えば、メッセージと添付ファイルからなる電子メールである場合）、例えば、データ量が少ない属性のデータ部分（メッセージ部分）を内部メモリ１６に記憶し、データ量が大きい属性のデータ部分（添付ファイル部分）を記録メディア１０に記録する。（以下、第３の記憶処理と称する）。このことにより、記憶容量に適した内部メモリ１６の使用が可能になる。
【００２４】
さらに、ビデオカメラ１は、Webブラウザ上において、ＷＷＷ(World Wide Web)サービスで提供されているホームページをインターネット（ネットワーク２）から検索し、それを表示部（図示せず）に表示することができるが、一度検索したホームページのデータ（HTML(Hyper Text Markup Language)ファイルまたは画像ファイルなどの素材ファイル）を記録メディア１０に記憶する（以下、第４の記憶処理と称する）。すなわち、いわゆる記録メディア１０を利用したWebキャッシュが行われる。このことにより、同じホームページの表示が再度要求されたとき、今度はインターネット（ネットワーク２）からデータを検索するのではなく、記録メディア１０に記憶しておいたデータを読み出し、それに基づいてホームページを表示することができる。このことにより、一度アクセスされたホームページを迅速に表示することができる。
【００２５】
図２は、ビデオカメラ１の、本発明に関連する部分の構成例を示している。なお、構成例の詳細は後述する。
【００２６】
入出力部１２は、タッチパネルと組み合わされた表示部、およびマイクロフォンやスピーカ等から構成されている。入出力部１２は、制御部１１から供給された画像データや音声データに対応する画像や音声を、表示部に表示したり、スピーカから出力する。入出力部１２はまた、マイクロフォンから入力された音声信号を制御部１１に供給する。
【００２７】
操作部１３は、図示せぬ各種ボタン等から構成されており、ユーザによるそれらに対する操作内容に応じた信号を制御部１１に出力する。
【００２８】
外部インタフェース１４は、ビデオカメラ１に接続される外部機器とデータの相互伝送を行う。
【００２９】
内部メモリ制御部１５は、各種記録処理に対応して、内部メモリ１６に対するデータの書き込みや読み出しを行う。
【００３０】
記録メディア制御部１７は、各種記録処理に対応して、記録メディア１０に対するデータの書き込みや読み出しを行う。
【００３１】
通信部１８は、ネットワーク２を介して、サーバ３や端末４と通信し、サーバ３や端末４から送信されてきた情報を受信するとともに、それを制御部１１に供給する。通信部１８はまた、制御部１１から供給されたデータを、ネットワーク２を介して、サーバ３や端末４に送信する。
【００３２】
次に、第１の記憶処理の手順を、図３のフローチャートを参照して説明する。
【００３３】
ステップＳ１において、通信部１８により、例えばサーバ３から送信されてきたコンテンツ（画像や音声）が受信されると、ステップＳ２において、制御部１１は、内部メモリ制御部１５を介して、受信されたコンテンツを記憶するのに十分な空き記憶領域が内部メモリ１６に存在するか否かを判定し、存在しないと判定した場合、ステップＳ３に進む。
【００３４】
ステップＳ３において、制御部１１は、内部メモリ制御部１５を介して、例えば、内部メモリ１６に記憶されている、古いデータ（時間的に先に記録されたデータ）から順に消去し、必要な空き記憶領域を内部メモリ１６に確保する。
【００３５】
ステップＳ２で、内部メモリ１６に十分な空き記憶領域が存在すると判定された場合、またはステップＳ３で、必要な空き記憶領域が確保された場合、ステップＳ４に進む。
【００３６】
ステップＳ４において、制御部１１は、内部メモリ制御部１５を介して、ステップＳ１で受信されたコンテンツを、内部メモリ１６に記憶する。
【００３７】
次に、ステップＳ５において、制御部１１は、記録メディア制御部１７を制御して、記録メディア１０がビデオカメラ１に装着されているか否か（記録メディア１０に対するデータの書き込みが可能か否か）を判定し、装着されていると判定した場合、ステップＳ６に進む。
【００３８】
ステップＳ６において、制御部１１は、ビデオカメラ１に装着されている記録メディア１０に、ステップＳ１で受信されたコンテンツを記録することができるだけの十分な空き記録領域が存在するか否かを判定し、十分な記録領域が存在すると判定した場合、ステップＳ７に進み、記録メディア制御部１７を介して、ステップＳ１で受信したコンテンツ（ステップＳ４で、内部メモリ１６に記録されたものと同様のコンテンツ）を、記録メディア１０に記録する。
【００３９】
ステップＳ８において、制御部１１は、図４に示すように、所定のタイミングで決定した、ステップＳ１で受信されたコンテンツのＩＤおよびそのコンテンツが記録される記録メディア１０のＩＤ、並びにコンテンツが記録されている記録メディア１０上の位置を表すデータパスを、インデックステーブルに書き込む。なお、インデックステーブルは、内部メモリ１６に記憶されている。
【００４０】
すなわち、ステップＳ７でコンテンツが記録メディア１０に記録される際には、図５に示すようなファイル構成に従ってコンテンツが記録される。図５中、ID_PATHは、記録メディア１０のIDが格納されている記録メディア１０上の位置を表し、CONTENTS_PATHは、コンテンツのデータが格納されている場所を表し、SCRIPTは、記録メディア１０上のアプリケーション起動方法、コンテンツに関する詳細な情報および再生方法についての情報が格納されている場所、APPLICATION_PATHは、アプリケーションのデータが格納されている場所を表している。
【００４１】
なお、この例の場合、コンテンツのデータ（図４の例では、imagedata)は、APPLICATION_PATH以下のパスに記録される。
【００４２】
また、必要に応じて、公開暗号鍵の情報を、ID_PATHに格納することもできる。
【００４３】
図３に戻り、ステップＳ５で、記録メディア１０が装着されていないと判定されたとき、ステップＳ６で、記録メディア１０に十分な空き記録領域が存在しないと判定されたとき、またはステップＳ８でインデックスが更新されたとき、処理は終了する。
【００４４】
すなわち、ステップＳ５で、記録メディア１０が装着されていないと判定されたとき、またはステップＳ６で、記録メディア１０に十分な空き記録領域が存在しないと判定されたとき、ステップＳ７，Ｓ８の処理はスキップされるので、ステップＳ１で受信されたコンテンツは、記録メディア１０には記録されず、インデックステーブルも更新されない。
【００４５】
次に、上述したように記録されたコンテンツを利用する処理を、図６のフローチャートを参照して説明する。
【００４６】
ステップＳ１１において、例えば、ユーザにより、コンテンツを利用（例えば、再生）するための操作が、操作部１３に対して行われ、その旨を表す信号（指令）が入力されたとき、制御部１１は、ステップＳ１２で、内部メモリ１６の記憶内容（記憶されているコンテンツ）を確認し、ステップＳ１３で、インデックステーブルの内容を確認する。
【００４７】
次に、ステップＳ１４において、制御部１１は、記録メディア１０が装着されているか否かを判定し、装着されていると判定した場合、ステップＳ１５に進み、装着されている記録メディア１０の記録内容（記録されているコンテンツ）を確認する。
【００４８】
ステップＳ１４で、記録メディア１０が装着されていないと判定されたとき、またはステップＳ１５で、記録メディア１０の記録内容が確認されたとき、ステップＳ１６に進み、制御部１１は、内部メモリ１６の記憶内容の確認結果（ステップＳ１２）、およびインデックステーブルの内容の確認結果（ステップＳ１３）、または記録メディア１０が装着されている場合はその記録メディア１０の記録内容の確認結果にも基づいて、コンテンツリストを作成し、それを表示する。
【００４９】
図７は、コンテンツリストの表示例を表している。コンテンツリストには、内部メモリ１６に記憶されているコンテンツ、およびインデックステーブルで情報が管理されているコンテンツ（何らかの記録メディア１０に記録されているコンテンツ）についての、送信元、受信日、タイトル、記録メディア１０を表すアイコン、および内部メモリ１６にデータがあるか否かを表す表示が示される。
【００５０】
図７の例では、コンテンツＡ乃至コンテンツＤについての情報が表示されている。コンテンツが、記録メディア１０に記録されている場合、その記録メディア１０のアイコンが表示される。図７の例の場合、コンテンツＡ，Ｃは、ディスク１０Ａに記録され、コンテンツＢは、メモリスティック１０Ｂに記録されているので、それらのアイコンが表示されている。なお、コンテンツが記録メディア１０に記録されていない場合（例えば、インデックステーブルに情報が管理されていない場合）、コンテンツＤを表す欄のように、そこには、記録メディア１０のアイコンは示されない。
【００５１】
また、コンテンツが、記録メディア１０に記録されているが、その記録メディア１０が現在ビデオカメラ１に装着されていないとき、そのコンテンツに対応する欄は、陰が付されて表示される。図７の例の場合、現在ディスク１０Ａがビデオカメラに装着されているので、メモリスティック１０Ｂに記録されているコンテンツＢに対応する欄は、陰が付されて表示されている。
【００５２】
図６に戻り、ステップＳ１７において、制御部１１は、ユーザにより操作部１３が操作され、所定のコンテンツが選択されるまで待機し、コンテンツが選択されたとき、ステップＳ１８に進む。ユーザは、図７に示したようなコンテンツリストを参照して、操作部１３を介して所定のコンテンツを選択するが、例えば、コンテンツＢのように、内部メモリ１６と現在装着されている記録メディア１０（ディスク１０Ａ）の両方に記録されていないコンテンツを選択する場合、ユーザは、コンテンツＢが記録されているメモリスティック１０Ｂをビデオカメラ１に挿入する必要がある。
【００５３】
ステップＳ１８において、制御部１１は、ステップＳ１７で選択されたコンテンツを、内部メモリ１６または記録メディア１０から読み出し、所定の処理（再生処理）を実行する。
【００５４】
その後、処理は終了する。
【００５５】
次に、記録されたコンテンツを利用する他の処理を、図８のフローチャートを参照して説明する。
【００５６】
ステップＳ２１において、例えば、ユーザにより、コンテンツを利用（例えば、再生）するための操作が操作部１３に対して行われ、その旨を表す信号（指令）が入力されたとき、制御部１１は、ステップＳ２２で、内部メモリ１６の記憶内容（記憶されているコンテンツ）を確認し、ステップＳ２３で、インデックステーブルの内容を確認する。
【００５７】
ステップＳ２４において、制御部１１は、内部メモリ１６の記憶内容の確認結果（ステップＳ２２）、およびインデックスリストの内容の確認結果（ステップＳ２３）に基づいて、コンテンツリストを作成し、それを表示する。
【００５８】
図９は、コンテンツリストの表示例を示している。コンテンツリストには、内部メモリ１６に記録されているコンテンツ、およびインデックステーブルで情報が管理されているコンテンツについての、送信元、受信日、およびタイトル等が示される。
【００５９】
図８に戻り、ステップＳ２５において、制御部１１は、ユーザにより操作部１３が操作され、所定のコンテンツが選択されるまで待機し、コンテンツが選択されたとき、ステップＳ２６に進む。
【００６０】
ステップＳ２６において、制御部１１は、選択されたコンテンツが、内部メモリ１６に記憶されているか否かを判定し、記憶されていると判定した場合、ステップＳ２９に進み、それを内部メモリ１６から読み出し、所定の処理（再生処理）を実行する。
【００６１】
一方、ステップＳ２６で、内部メモリ１６に記憶されていないと判定された場合、ステップＳ２７に進み、選択されたコンテンツが所定の記録メディア１０に記憶されており、かつ、その記録メディア１０が装着されているか否かを判定し、記録メディア１０に記録され、かつ、その記録メディア１０が装着されていると判定した場合、ステップＳ２９に進み、そのコンテンツを記録メディア１０から読み出し、所定の処理（再生処理）を実行する。
【００６２】
ステップＳ２７で、選択されたコンテンツが記録メディア１０に記録されていないか、または記録されている記録メディア１０が装着されていないと判定された場合、ステップＳ２８に進み、制御部１１は、入出力部１２を介して、図１０に示すような、選択されたコンテンツが記録されている記録メディア１０を装着することをユーザに促す表示を表示部に表示する。
【００６３】
その後、ステップＳ２７に戻り、それ以降の処理を実行する。
【００６４】
次に、第２の記憶処理の手順を、図１１のフローチャートを参照して説明する。なお、この例の場合、記録メディア１０がすでにビデオカメラ１に装着されているものとする。
【００６５】
ステップＳ４１において、制御部１１は、通信部１８により、例えばサーバ３から送信されてきたコンテンツが受信されると、ステップＳ４２に進み、内部メモリ制御部１５を介して、受信されたコンテンツを、内部メモリ１６の空き記憶領域に記憶することができる分だけ、そこに記憶させる。なお、制御部１１は、コンテンツを記憶する前に、内部メモリ１６に記憶されている古いデータを削除し、一定の記憶領域を確保することもできる。
【００６６】
次に、ステップＳ４３において、制御部１１は、ステップＳ４１で受信されたコンテンツのすべてが、ステップＳ４２で内部メモリ１６に記憶されたか否かを判定し、記憶されていないと判定した場合、ステップＳ４４に進み、残ったコンテンツのデータを記録メディア１０に記録させる。
【００６７】
ステップＳ４５において、制御部１１は、図３のステップＳ８における場合と同様に、ステップＳ４４での記録メディア１０に対するコンテンツの記録に応じて、インデックステーブルを更新する。
【００６８】
ステップＳ４３でコンテンツのすべてが内部メモリ１６に記憶されたと判定されたとき、またはステップＳ４５でインデックステーブルが更新されたとき、処理は終了する。
【００６９】
次に、第３の記憶処理の手順を、図１２のフローチャートを参照して説明する。なお、この例の場合、電子メールを受信する場合を例として説明する。
【００７０】
ステップＳ５１において、制御部１１は、通信部１８により、サーバ３または端末４などから送信されてきた電子メールが受信されると、ステップＳ５２に進み、その電子メールにファイルが添付されているか否かを判定し、添付されていると判定した場合、ステップＳ５３に進む。
【００７１】
ステップＳ５３において、制御部１１は、記録メディア１０が装着されているか否かを判定し、装着されていると判定した場合、ステップＳ５４に進み、その記録メディア１０に、電子メールに添付されたファイルを記録することができるだけの空き記録領域が存在するか否かを判定し、存在すると判定した場合、ステップＳ５５に進む。
【００７２】
ステップＳ５５において、制御部１１は、電子メールに添付されたファイルを、記録メディア制御部１７を介して、記録メディア１０に記録し、ステップＳ５６において、例えば、図３のステップＳ８における場合と同様に、ステップＳ５５の記録メディア１０に対するコンテンツの記録に応じて、インデックステーブルを更新する。
【００７３】
ステップＳ５２で、電子メールにファイルが添付されていないと判定された場合、またはステップＳ５６でインデックステーブルが更新されたとき、ステップＳ５７に進み、制御部１１は、電子メールのメッセージ部分を、内部メモリ制御部１５を介して、内部メモリ１６に記憶する。
【００７４】
ステップＳ５３で、記録メディア１０が装着されていない、またはステップＳ５４で、記録メディア１０に十分な記録領域が存在しないと判定された場合、ステップＳ５８に進み、制御部１１は、内部メモリ制御部１５を介して、電子メールの全体、すなわち、メッセージ部分と添付されたファイルの両方を、内部メモリ１６に記憶させる。
【００７５】
ステップＳ５７で、メッセージ部分が内部メモリ１６記憶されたとき、またはステップＳ５８で、電子メール全体が内部メモリ１６に記憶されたとき、処理は終了する。
【００７６】
次に、第４の記録処理の手順を、図１３のフローチャートを参照して説明する。
【００７７】
Webブラウザが起動している状態において、ビデオカメラ１の制御部１１は、ステップＳ７１において、ユーザが表示させたいホームページのURLとそのヘッダ情報が入出力部１２から入力されるまで待機する。ユーザにより表示部に表示されている、例えば、リンクボタン等が操作され、入出力部１２からURLやヘッダ情報が入力されらとき、ステップＳ７２に進み、後述するステップＳ９５で更新されるインデックステーブルの内容を確認する。このインデックステーブルには、記録メディア１０にHTMLファイルや素材ファイルが記録されているホームページのURL、ヘッダ情報、受信日、記録メディア１０のID、およびデータパス等が記述されている。
【００７８】
ステップＳ７３において、制御部１１は、ステップＳ７２での確認結果に基づいて、ステップＳ７１で入力されてURLのホームページのデータが記録メディア１０に記録されているか否かを判定し、記録されていないと判定された場合、ステップＳ７４に進む。
【００７９】
ステップＳ７４において、制御部１１は、通信部１８を介して、URLが示すサーバ（例えば、サーバ３）からホームページのデータを取得し、ステップＳ７５において、それを記憶（キャッシュ）する。
【００８０】
ステップＳ７５におけるキャッシュ処理の詳細は、図１４のフローチャートに示されている。
【００８１】
ステップＳ９１において、制御部１１は、ビデオカメラ１に記録メディア１０が装着されているか否かを判定し、装着されていると判定した場合、ステップＳ９２に進み、記録メディア１０内に記録されているホームページのデータのうち、有効期限が切れたデータを、そのヘッダ情報等に基づいて検出し、それを消去する。
【００８２】
次に、ステップＳ９３において、制御部１１は、記録メディア１０に十分な空き記録容量が存在するか否かを判定し、存在すると判定した場合、ステップＳ９４に進み、ステップＳ７４で取得したホームページのデータを、記録メディア制御部１７を介して記録メディア１０に記録する（キャッシュする）。
【００８３】
次に、ステップＳ９５において、制御部１１は、インデックステーブルに、ステップＳ７４で取得したホームページのURLおよびヘッダ情報、並びにホームページのデータが記録された記録メディアのIDおよびデータパスを新たに記述するとともに、ステップＳ９２でデータが消去されたホームページに対応する欄の記載を消去し、インデックステーブルを更新する。
【００８４】
その後、処理は、図１３のステップＳ８０に進み、制御部１１は、入出力部１２を介して、ステップＳ７４で取得したデータに基づくホームページを表示部に表示する。
【００８５】
一方、ステップＳ７３で、ステップＳ７１で入力されたURLのホームページのデータが記録メディア１０に記録されている（キャッシュされている）と判定された場合、ステップＳ７６に進む。
【００８６】
ステップＳ７６において、制御部１１は、ステップＳ７１で入力されたURLのホームページのデータが記録されている記録メディア１０がビデオカメラ１に装着されているか否かを判定し、装着されていると判定した場合、ステップＳ７７に進む。
【００８７】
ステップＳ７７において、制御部１１は、ステップＳ７１で入力されたヘッダ情報と、ステップＳ７１で入力されたURLに対応してインデックステーブルに記述されているヘッダ情報を比較し、ステップＳ７１で入力されたURLのホームページが更新されているか否かを判定し、更新されていないと判定した場合、ステップＳ７９に進み、記録メディア１０からそのホームページのデータを取得する。
【００８８】
その後、ステップＳ８０に進み、制御部１１は、入出力部１２を介して、ステップＳ７９で取得したデータに基づくホームページを表示部に表示する。
【００８９】
ステップＳ７６で、記録メディア１０が装着されていないと判定されたとき、またはステップＳ７８において、ホームページは更新されていると判定された場合、ステップＳ７４に進み、それ以降の処理が実行される。
【００９０】
図１５は、ビデオカメラ１の詳細な構成例を示している。図１５におけるビデオ信号処理部３０のビデオコントローラ３８が、図２の制御部１１に相当し、メモリ３４およびプログラムメモリ３９が内部メモリ１６に相当する。
【００９１】
なお、図１５の例においては、メモリスティック１０Ｂに対してデータの記録再生を行う機構の構成は省略されている。
【００９２】
レンズブロック２０の光学系２１は、撮像レンズや絞りなどからなる構成され、またモータ部２２は、光学系２１に対してオードフォーカス動作を行わせるためのフォーカスモータやズームレンズの移動を行うためのズームモータなどから構成されている。
【００９３】
カメラブロック２３のCCD２４に対しては、光学系２１を透過した被写体の光画像が与えられる。CCD２４は、光学系２１から入力された光画像について光電変換を行って撮像信号を生成し、それを、サンプルホールド／AGC回路２５に供給する。
【００９４】
サンプルホールド／AGC回路２５は、CCD２４からの撮像信号についてゲイン調整を行うとともに、サンプルホールド処理を施して、波形成形を行い、それをビデオＡ／Ｄコンバータ２６に出力する。ビデオＡ／Ｄコンバータ２６は、サンプルホールド／AGC回路２５からの信号を、デジタルの画像信号データに変換する。
【００９５】
CCD２４、サンプルホールド／AGC回路２５、ビデオＡ／Ｄコンバータ２６における信号処理タイミングは、タイミングジェネレータ２７にて生成されるタイミング信号により処理される。タイミングジェネレータ２７では、後述するデータ処理／システムコントローラ回路３１（ビデオ信号処理部３０内）にて信号処理に利用されるクロックを入力し、このクロックに基づいて所要のタイミング信号を生成するようになされる。これにより、カメラブロック２３における信号処理タイミングを、ビデオ信号処理部３０における処理タイミングと同期させるようにしている。
【００９６】
カメラコントローラ２８は、カメラブロック２３内に備えられる各部が適正に動作するよう所要の制御を実行するとともに、レンズブロック２０に対してオートフォーカス、自動露出調整、絞り調整、ズームなどのための制御を行う。例えば、オードフォーカス制御であれば、カメラコントローラ２８は、所定のオートフォーカス制御方式に従って得られるフォーカス制御情報に基づいて、フォーカスモータの回転角を制御する。これにより、撮像レンズはジャストピント状態となるように駆動されることになる。
【００９７】
ビデオ信号処理部３０は、記録時において、カメラブロック２３から供給されたデジタル画像信号、およびマイクロフォン７１により集音したことで得られたデジタル音声信号について圧縮処理を施し、これら圧縮データをユーザ記録データとして後段のメディアドライブ部４０に供給する。さらにカメラブロック２３から供給されたデジタル画像信号とキャラクタ画像により生成された画像をビューファインダ（ＶＦ）７３に表示させる。
【００９８】
またビデオ信号処理部３０は、再生時において、メディアドライブ部４０から供給される圧縮処理された画像信号データおよび音声信号データについて復調処理を施し、これらを再生画像信号、再生音声信号として出力する。
【００９９】
なおこの例の場合、画像信号データ（画像データ）の圧縮／伸張処理方式として、動画像については、MPEG２が採用され、静止画像については、JPEGが採用されている。また音声信号データの圧縮／伸張処理方式としては、ATRAC（Adaptive Transform Acoustic Coding）２が採用されている。
【０１００】
ビデオ信号処理部３０のデータ処理／システムコントロール回路３１は、主として、ビデオ信号処理部３０における画像信号データおよび音声信号データの圧縮／伸張処理に関する制御処理と、ビデオ信号処理部３０を経由するデータの入出力の制御処理を実行する。
【０１０１】
データ処理／システムコントロール回路３１を含むビデオ信号処理部３０全体についての制御処理は、ビデオコントローラ３８が実行する。このビデオコントローラ３８は、例えばマイクロコンピュータ等を備えて構成され、カメラブロック２３のカメラコントローラ２８、および後述するメディアドライブ部４０のドライバコントローラ４６と、例えば図示しないバスライン等を介して相互通信可能とされている。
【０１０２】
またビデオコントローラ３８に対してはプログラムメモリ３９が備えられている。このプログラムメモリ３９は、例えばEEPROMやフラッシュメモリなどの書き換え可能な記憶素子により構成され、ここにはマスターコントローラであるビデオコントローラ３８が実行すべき各種プログラムを始めとし、各種設定データなどの情報が格納されている。
【０１０３】
ビデオ信号処理部３０における記録時の基本的な動作として、データ処理／システムコントロール回路３１には、カメラブロック２３のビデオA／Dコンバータ２６から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、MPEG２ビデオ信号処理回路３３に供給する。
【０１０４】
MPEG２ビデオ信号処理回路３３においては、例えばメモリ３４を作業領域として利用しながら、入力された画像信号データについてMPEG２のフォーマットに従って圧縮処理を施し、動画像としての圧縮データのビットストリーム（MPEG２ビットストリーム）を出力するようにされる。また、MPEG２ビデオ信号処理回路３３では、例えば動画像としての画像信号データから静止画としての画像データを抽出してこれに圧縮処理を施す際には、JPEGのフォーマットに従って静止画としての圧縮画像データを生成するように構成されている。なお、JPEGは採用せずに、MPEG２のフォーマットによる圧縮画像データとして、正規の画像データとされるＩピクチャ（Intra Picture）を静止画の画像データとして扱うことも考えられる。
【０１０５】
MPEG２ビデオ信号処理回路３３により圧縮符号化された画像信号データ（圧縮画像データ）は、例えば、バッファメモリ３２に対して所定の転送レートにより書き込まれて一時保持される。
【０１０６】
なおMPEG２のフォーマットにおいては、周知のようにいわゆる符号化ビットレート（データレート）として、一定速度（CBR；Constant Bit Rate）と、可変速度（VBR；Variable Bit Rate）の両者がサポートされており、ビデオ信号処理部３０ではこれらに対応できるものとしている。
【０１０７】
例えばVBRによる画像圧縮処理を行う場合には、例えば、動き検出回路３５において、画像データをマクロブロック単位により前後数十〜数百フレーム内の範囲で動き検出を行って、動きありとされればこの検出結果を動きベクトル情報としてMPEG２ビデオ信号処理回路３３に伝送する。
【０１０８】
MPEG２ビデオ信号処理回路３３では、圧縮符号化後の画像データをある所要のデータレートとするように、動きベクトル情報をはじめとする所要の情報を利用しながら、マクロブロックごとの量子化係数を決定していくようにされる。
【０１０９】
音声圧縮エンコーダ／デコーダ３７には、A／Dコンバータ６４（入出力部１２内）を介して、例えばマイクロフォン７１により集音された音声がデジタルによる音声信号データとして入力される。
【０１１０】
音声圧縮エンコーダ／デコーダ３７では、前述のようにATRAC２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【０１１１】
上記のようにして、バッファメモリ３２には、圧縮画像データ及び圧縮音声信号データが蓄積可能とされる。バッファメモリ３２は、主として、カメラブロック２３あるいは入出力部１２とバッファメモリ３２間のデータ転送レートと、バッファメモリ３２とメディアドライブ部４０間のデータ転送レートの速度差を吸収するための機能を有する。
【０１１２】
バッファメモリ３２に蓄積された圧縮画像データ及び圧縮音声信号データは、記録時であれば、順次所定タイミングで読み出しが行われて、メディアドライブ部４０のMD−DATA２エンコーダ／デコーダ４１に伝送される。ただし、例えば再生時においてバッファメモリ３２に蓄積されたデータの読み出しと、この読み出したデータをメディアドライブ部４０からデッキ部５０を介してディスク１０Ａに記録するまでの動作は、間欠的に行われても構わない。
【０１１３】
このようなバッファメモリ３２に対するデータの書き込み及び読み出し制御は、例えば、データ処理／システムコントロール回路３１によって実行される。
【０１１４】
ビデオ信号処理部３０における再生時の動作としては、概略的に次のようになる。再生時には、ディスク１０Ａから読み出され、MD−DATA２エンコーダ／デコーダ４１（メディアドライブ部４０内）の処理によりMD−DATA２フォーマットに従ってデコードされた圧縮画像データ、圧縮音声信号データ（ユーザ再生データ）が、データ処理／システムコントロール回路３１に伝送されてくる。
【０１１５】
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レ−トで、バッファメモリ３２から圧縮画像データ及び圧縮音声信号データの読み出しを行い、圧縮画像データについてはMPEG２ビデオ信号処理回路３３に供給し、圧縮音声信号データについては音声圧縮エンコーダ／デコーダ３７に供給する。
【０１１６】
MPEG２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオD／Aコンバータ６１（入出力部１２内）に供給する。
【０１１７】
音声圧縮エンコーダ／デコーダ３７では、入力された圧縮音声信号データについて伸張処理を施して、D／Aコンバータ６５（入出力部１２内）に供給する。
【０１１８】
入出力部１２においては、ビデオD／Aコンバータ６１に入力された画像信号データは、ここでアナログ画像信号に変換され、表示コントローラ６２及びコンポジット信号処理回路６３に対して分岐して入力される。
【０１１９】
表示コントローラ６２では、入力された画像信号に基づいて表示部６７Aを駆動する。これにより、表示部６７Aにおいて再生画像の表示が行われる。また、表示部６７Ａにおいては、ディスク１０Ａから再生して得られる画像の表示だけでなく、当然のこととして、レンズブロック２０及びカメラブロック２３からなるカメラ部位により撮影して得られた撮像画像も、ほぼリアルタイムで表示出力させることが可能である。
【０１２０】
また、再生画像及び撮像画像の他、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオD／Aコンバータ６１に出力すべき画像信号データに対して、所要の文字やキャラクタ等の画像信号データを合成する処理を実行するようにすればよい。
【０１２１】
また、表示部６７Aに対しては、タッチパネル６７Ｂが組み合わされることで、表示パネル６７を構成する。タッチパネル６７Bでは、表示部６７A上に対して行われた押圧操作の位置情報を検知し、これを操作情報としてビデオコントローラ３８に対して出力する。
【０１２２】
コンポジット信号処理回路６３では、ビデオD／Aコンバータ６１から供給されたアナログ画像信号についてコンポジット信号に変換して、ビデオ出力端子Tlに出力する。例えば、ビデオ出力端子Tlを介して、外部モニタ装置等と接続を行えば、ビデオカメラ１で再生した画像を外部モニタ装置により表示させることが可能となる。
【０１２３】
また、入出力部１２において、音声圧縮エンコーダ／デコーダ３７からD／Aコンバータ６５に入力された音声信号データは、ここでアナログ音声信号に変換され、ヘッドフォン／ライン端子T２に対して出力される。また、D／Aコンバータ６５から出力されたアナログ音声信号は、アンプ６６を介してスピーカ７２に対しても分岐して出力され、これにより、スピーカ７２からは、再生音声等が出力されることになる。
【０１２４】
メディアドライブ部４０では、主として、記録時にはMD−DATA２フォーマットに従って記録データをディスク記録に適合するようにエンコードしてデッキ部５０に伝送し、再生時においては、デッキ部５０においてディスク１０Ａから読み出されたデータについてデコード処理を施すことで再生データを得て、ビデオ信号処理部３０に対して伝送する。
【０１２５】
このメディアドライブ部４０のMD−DATA２エンコーダ／デコーダ４１は、記録時においては、データ処理／システムコントロール回路３１から記録データ（圧縮画像データ＋圧縮音声信号データ）が入力され、この記録データについて、MD−DATA２フオーマットに従った所定のエンコード処理を施し、このエンコードされたデータを一時バッファメモリ４２に蓄積する。そして、所要のタイミングで読み出しを行いながらデッキ部５０に伝送する。
【０１２６】
再生時においては、ディスク１０Ａから読み出され、RF信号処理回路４４、二値化回路４３を介して入力されたデジタル再生信号について、MD−DATA２フォーマットに従ったデコード処理を施して、再生データとしてビデオ信号処理部３０のデータ処理／システムコントロール回路３１に対して伝送する。なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
【０１２７】
なお、例えばディスクの再生時において、外乱等によってサーボ等が外れて、ディスク１０Ａからの信号の読み出しが不可となったような場合でも、バッファメモリ４２に対して読み出しデータが蓄積されている期間内にディスク１０Ａに対する再生動作を復帰させるようにすれば、再生データとしての時系列的連続性を維持することが可能となる。
【０１２８】
RF信号処理回路４４は、ディスク１０Ａからの読み出し信号について所要の処理を施すことで、例えば、再生データとしてのRF信号、デッキ部５０に対するサーボ制御のためのフォーカスエラー信号、トラッキングエラー信号等のサーボ制御信号を生成する。RF信号は、上記のように二値化回路４３により２値化され、デジタル信号データとしてMD−DATA２エンコーダ／デコーダ４１に入力される。
【０１２９】
また、生成された各種サーボ制御信号はサーボ回路４５に供給される。サーボ回路４５では、入力したサーボ制御信号に基づいて、デッキ部５０における所要のサーボ制御を実行する。
【０１３０】
なお、本例においては、MD−DATA１フォーマットに対応するエンコーダ／デコーダ４７を備えており、ビデオ信号処理部３０から供給された記録データを、MD−DATA１フォーマットに従ってエンコードしてディスク１０Ａに記録すること、或いは、ディスク１０Ａからの読み出しデータがMD−DATA１フォーマットに従ってエンコードされているものについては、そのデコード処理を行って、ビデオ信号処理部３０に伝送出力することも可能とされている。つまり本例のビデオカメラ１としては、MD−DATA２フォーマットとMD−DATA１フォーマットとについて互換性が得られるように構成されている。
【０１３１】
ドライバコントローラ４６は、メディアドライブ部４０を総括的に制御するための機能回路部とされる。
【０１３２】
デッキ部５０は、ディスク１０Ａを駆動するための機構からなる部位とされる。ここでは図示しないが、デッキ部５０においては、装填されるべきディスク１０Ａが着脱可能とされ、ユーザの作業によって交換が可能なようにされた機構を有しているものとされる。また、ここでのディスク１０Ａは、MD−DATA２フォーマット、あるいはMD−DATA１フォーマットに対応する光磁気ディスクであることが前提となる。
【０１３３】
デッキ部５０においては、装填されたディスク１０ＡをCLVにより回転駆動するスピンドルモータ５１によって、CLVにより回転駆動される。このディスク１０Ａに対しては記録／再生時に光学ヘッド５２によってレーザ光が照射される。
【０１３４】
光学ヘッド５２は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５２には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５２に備えられる対物レンズとしては、例えば２軸機構によってディスク半径方向及びディスクに接離する方向に変位可能に保持されている。
【０１３５】
また、ディスク１０Ａを挟んで光学ヘッド５２と対向する位置には磁気ヘッド５３が配置されている。磁気ヘッド５３は記録データによって変調された磁界をディスク１０Ａに印加する動作を行なう。また、図示しないが、デッキ部５０においては、スレッドモータ５４により駆動されるスレッド機構が備えられている。このスレッド機構が駆動されることにより、上記光学ヘッド５２全体及び磁気ヘッド５３はディスク半径方向に移動可能とされている。
【０１３６】
操作部１３は、各種操作子に相当し、これらの操作子によるユーザの各種操作情報は例えばビデオコントローラ３８に出力される。ビデオコントローラ３８は、先に述べたタッチパネル６７B、及び操作部１３から出力される操作情報に応じた必要な動作が各部において実行されるようにするための制御情報をカメラコントローラ２８、ドライバコントローラ４６に対して供給する。
【０１３７】
外部インタフェース１４は、当該ビデオカメラ１と外部機器とでデータを相互伝送可能とするために設けられており、例えば図のようにI／F端子T３とビデオ信号処理部３０間に対して設けられる。なお、外部インタフェース１４としてはここでは特に限定されるものではないが、例えばIEEE１３９４等が採用されればよい。
【０１３８】
例えば、外部のデジタル画像機器と本例のビデオカメラ１をI／F端子T３を介して接続した場合、ビデオカメラ１で撮影した画像（音声）を外部デジタル画像機器に録画したりすることが可能となる。また、外部デジタル画像機器にて再生した画像（音声）データ等を、外部インタフェース１４を介して取り込むことにより、MD−DATA２（或いはMD−DATA１）フォーマットに従ってディスク１０Ａに記録するといったことも可能となる。更には、例えばキャプションの挿入などに利用する文字情報としてのファイルも取り込んで記録することが可能となる。
【０１３９】
電源ブロック１９は、内蔵バッテリにより得られた直流電源あるいは商用交流電源から生成した直流電源を利用して、各機能回路部に対して所要のレベルの電源電圧を供給する。
【０１４０】
次に、図１５に示したメディアドライブ部４０の構成として、MD−DATA２に対応する機能回路部を抽出した詳細な構成について、図１６を参照して説明する。なお、図１６においては、メディアドライブ部４０と共にデッキ部５０を示しているが、デッキ部５０の内部構成については図１５により説明したため、ここでは、図１５と同一符号を付してその説明を省略する。また、図１６に示すメディアドライブ部４０において図１５のブロックに相当する範囲に同一符号を付している。
【０１４１】
光学ヘッド５２のディスク１０Ａに対するデータ読み出し動作により検出された情報（フォトデイテクタによりレーザ反射光を検出して得られる光電流）は、RF信号処理回路４４内のRFアンプ１０１に供給される。
【０１４２】
RFアンプ１０１では入力された検出情報から、再生信号としての再生RF信号を生成し、二値化回路４３に供給する。二値化回路４３は、入力された再生RF信号について二値化を行うことにより、デジタル信号化された再生RF信号（二値化RF信号）を得る。
【０１４３】
この二値化RF信号はMD−DATA２エンコーダ／デコーダ４１に供給され、まずAGC／クランプ回路１０３を介してゲイン調整、クランプ処理等が行われた後、イコライザ／PLL回路１０４に入力される。
【０１４４】
イコライザ／PLL回路１０４は、入力された二値化RF信号についてイコライジング処理を施してビタビデコーダ１０５に出力する。また、イコライジング処理後の二値化RF信号をPLL回路に入力することにより、二値化RF信号（RLL（１，７）符号列）に同期したクロックCLKを抽出する。
【０１４５】
クロックCLKの周波数は現在のディスク回転速度に対応する。このため、CLVプロセッサ１１１では、イコライザ／PLL回路１０４からクロックCLKを入力し、所定のCLV速度に対応する基準値と比較することにより誤差情報を得て、スピンドルエラー信号SPEを生成するための信号成分として利用する。また、クロックCLKは、例えばRLL（１，７）復調回路１０６をはじめとする、所要の信号処理回路系における処理のためのクロックとして利用される。
【０１４６】
ビタビデコーダ１０５は、イコライザ／PLL回路１０４から入力された二値化RF信号について、いわゆるビタビ後号法に従った復号処理を行う。これにより、RLL（１，７）符号列としての再生データが得られることになる。この再生データはRLL（１，７）復調回路１０６に入力され、ここでRLL（１，７）復調が施されたデータストリームとされる。
【０１４７】
RLL（１，７）復調回路１０６における復調処理により得られたデータストリームは、データバス１１４を介してバッファメモリ４２に対して書き込みが行われ、バッファメモリ４２上で展開される。
【０１４８】
このようにしてバッファメモリ４２上に展開されたデータストリームに対しては、先ず、ECC処理回路１１６により、RS−PC方式に従って誤り訂正ブロック単位によるエラー訂正処理が施され、更に、デスクランプル／EDCデコード回路１１７により、デスクランプル処理と、EDCデコード処理（エラー検出処理）が施される。
【０１４９】
これまでの処理が施されたデータが再生データDATApとされる。この再生データDATApは、転送クロック発生回路１２１にて発生された転送クロックに従った転送レートで、例えばデスクランプル／EDCデコード回路１１７からビデオ信号処理部３０のデータ処理／システムコントロール回路３１に対して伝送されることになる。
【０１５０】
転送クロック発生回路１２１は、例えば、クリスタル系のクロックをメディアドライブ部４０とビデオ信号処理部３０間のデータ伝送や、メディアドライブ部４０内における機能回路部問でのデータ伝送を行う際に、適宜適正とされる周波数の転送クロック（データ転送レート）を発生するための部位とされる。また、当該ビデオカメラの動作状態に応じて、メディアドライブ部４０及びビデオ信号処理部３０の各機能回路部に供給すべき所要の周波数のクロックを発生する。
【０１５１】
光学ヘッド５２によりディスク１０Ａから読み出された検出情報（光電流）は、マトリクスアンプ１０７に対しても供給される。マトリクスアンプ１０７では、入力された検出情報について所要の演算処理を施すことにより、トラッキングエラー信号TE、フォーカスエラー信号FE、グループ情報（ディスク１０ＡにウォブルドグループWG（後述）として記録されている絶対アドレス情報）GFM等を抽出しサーボ回路４５に供給する。即ち抽出されたトラッキングエラー信号TE、フォーカスエラー信号FEはサーボプロセッサ１１２に供給され、グループ情報GFMはADIP（Address In Pregroove）バンドパスフィルタ１０８に供給される。
【０１５２】
ADIPバンドパスフィルタ１０８により帯域制限されたグループ情報GFMは、A／Bトラック検出回路１０９、ADIPデコーダ１１０、及びCLVプロセッサ１１１に対して供給される。A／Bトラック検出回路１０９では、例えば後述する図１８Ｂにて説明した方式などに基づいて、入力されたグループ情報GFMから、現在トレースしているトラックがトラックTR・A，TR・Bの何れとされているのかについて判別を行い、このトラック判別情報をドライバコントローラ４６に出力する。また、ADIPデコーダ１１０では、入力されたグループ情報GFMをデコードしてディスク上の絶対アドレス情報であるADIP信号を抽出し、ドライバコントローラ４６に出力する。ドライバコントローラ４６では、上記トラック判別情報及びADIP信号に基づいて、所要の制御処理を実行する。
【０１５３】
CLVプロセッサ１１１には、イコライザ／PLL回路１０４からクロックCLKと、ADIPバンドパスフィルタ１０８を介したグループ情報GFMが入力される。CLVプロセッサ１１１では、例えばグループ情報GFMに対するクロックCLKとの位相誤差を積分して得られる誤差信号に基づき、CLVサーボ制御のためのスピンドルエラー信号SPEを生成し、サーボプロセッサ１１２に対して出力する。なお、CLVプロセッサ１１１が実行すべき所要の動作はドライバコントローラ４６によって制御される。
【０１５４】
サーボプロセッサ１１２は、上記のようにして入力されたトラッキングエラー信号TE、フォーカスエラー信号FE、スピンドルエラー信号SPE、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
【０１５５】
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
【０１５６】
このようなサーボドライブ信号がデッキ部５０に対して供給されることで、ディスク１０Ａに対するフォーカス制御、トラッキング制御、及びスピンドルモータ５２に対するCLV制御が行われることになる。
【０１５７】
ディスク１０Ａに対して記録動作が実行される際には、例えば、ビデオ信号処理部３０のデータ処理／システムコントロール回路３１からスクランブル／EDCエンコード回路１１５に対して記録データDATArが入力されることになる。このユーザ記録データDATArは、例えば転送クロック発生回路１２１にて発生された転送クロック（データ転送レート）に同期して入力される。
【０１５８】
スクランブル／EDCエンコード回路１１５では、例えば記録データDATArをバッファメモリ４２に書き込んで展開し、データスクランブル処理、EDCエンコード処理（所定方式によるエラー検出符号の付加処理）を施す。この処理の後、例えばECC処理回路１１６によって、バッファメモリ４２に展開させている記録データDATArに対してRS−PC方式によるエラー訂正符号を付加するようにされる。
【０１５９】
ここまでの処理が施された記録データDATArは、バッファメモリ４２から読み出されて、データバス１１４を介してRLL（１，７）変調回路１１８に供給される。
【０１６０】
RLL（１，７）変調回路１１８では、入力された記録データDATArについてRLL（１，７）変調処理を施し、このRLL（１，７）符号列としての記録データを磁気ヘッド駆動回路１１９に出力する。
【０１６１】
ところで、MD−DATA２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
【０１６２】
このようなレーザストローブ磁界変調方式では、ディスクに記録されるピットエッジの形成過程が磁界の反転速度等の過波特性に依存せず、レーザパルスの照射タイミングによって決定される。このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ビットのジツタをきわめて小さくすることが容易に可能とされる。つまり、レーザストローブ磁界変調方式は、高密度記録化に有利な記録方式とされるものである。
【０１６３】
メディアドライブ部４０の磁気ヘッド駆動回路１１９では、入力された記録データにより変調した磁界が磁気ヘッド５３からディスク１０Ａに印加されるように動作する。また、RLL（１，７）変調回路１１８からレーザドライバ１２０に対しては、記録データに同期したクロックを出力する。レーザドライバ１２０は、入力されたクロックに基づいて、磁気ヘッド５３により磁界として発生される記録データに同期させたレーザパルスがディスクに対して照射されるように、光学ヘッド５２のレーザダイオードを駆動する。この際、レーザダイオードから発行出力されるレーザパルスとしては、記録に適合する所要のレーザパワーに基づくものとなる。このようにして、本例のメディアドライブ部４０により上記レーザストローブ磁界変調方式としての記録動作が可能とされる。
【０１６４】
図１７および図１８は、MD−DATA２としてのディスクのトラック構造例を概念的に表している。図１８Ａ，Ｂは、それぞれ図１７の破線Aで括った部分を拡大して示す断面図及び平面図である。
【０１６５】
これらの図に示すように、ディスク面に対してはウォブル（蛇行）が与えられたウォブルドグループWGと、ウォブルが与えられていないノンウォブルドグループNWGとの２種類のグループ（溝）が予め形成される。そして、これらウォブルドグループWGとノンウォブルドグループNWGは、その間にランドLdを形成するようにしてディスク上において２重のスパイラル状に存在する。
【０１６６】
MD−DATA２フォーマットでは、ランドLdが記録トラック（データが記録されるトラック）として利用されるのであるが、上記のようにしてウォブルドグループWGとノンウォブルドグループNWGが形成されることから、記録トラックとしてもトラックT r・A，T r・Bの２つのトラックがそれぞれ独立して、２重のスパイラル（ダブルスパイラル）状に形成されることになる。
【０１６７】
トラックTr・Aは、ディスク外周側にウォブルドグループWGが位置し、ディスク内周側にノンウォブルドグループNWGが位置するトラックとなる。これに対してトラックT r・Bは、ディスク内周側にウォブルドグループWGが位置し、ディスク外周側にノンウォブルドグループNWGが位置するトラックとなる。
【０１６８】
つまり、トラックT r・Aに対してはディスク外周側の片側のみにウォブルが形成され、トラックTr・Bとしてはディスク内周側の片側のみにウォブルが形成されるようにしたものとみることができる。この場合、トラックピッチは、互いに隣接するトラックTr・AとトラックTr・Bの各センター問の距離となり、図１８Ｂに示すようにトラックピッチは０．９５μmとされている。
【０１６９】
ここで、ウォブルドグループWGとしてのグループに形成されたウォブルは、ディスク上の物理アドレスがFM変調＋パイフェーズ変調によりエンコードされた信号に基づいて形成されているものである。このため、記録再生時においてウォブルドグループWGに与えられたウォブリングから得られる再生情報を復調処理することで、ディスク上の物理アドレスを抽出することが可能となる。
【０１７０】
また、ウォブルドグループWGとしてのアドレス情報は、トラックTr・A，Tr・Bに対して共通に有効なものとされる。つまり、ウォブルドグループWGを挟んで内周に位置するトラックTr・Aと、外周に位置するトラックTr・Bは、そのウォブルドグループWGに与えられたウォプリングによるアドレス情報を共有するようにされる。
【０１７１】
なお、このようなアドレッシング方式はインターレースアドレッシング方式ともいわれる。このインターレースアドレッシング方式を採用することで、例えば、隣接するウォブル問のクロストークを抑制した上でトラックピッチを小さくすることが可能となるものである。また、グループに対してウォブルを形成することで、アドレスを記録する方式については、ADIP（Address In Pregroove）方式ともいう。
【０１７２】
また、上記のようにして同一のアドレス情報を共有するトラックTr・A，Tr・Bの何れをトレースしているのかという識別は次のようにして行うことができる。例えば３ビーム方式を応用し、メインビームがトラック（ランドL d）をトレースしている状態では、残る２つのサイドビームは、上記メインビームがトレースしているトラックの両サイドに位置するグループをトレースしているようにすることが考えられる。
【０１７３】
図１８Ｂには、具体例として、メインビームスポットSPmがトラックTr・Aをトレースしている状態が示されている。この場合には、２つのサイドビームスポットSP s1，SP s2のうち、内周側のサイドビームスポットSP s1はノンウォブルドグループNWGをトレースし、外周側のサイドビームスポットSP s２はウォブルドグループWGをトレースすることになる。
【０１７４】
これに対して、図示しないが、メインビームスポットS PmがトラックT r・Bをトレースしている状態であれば、サイドビームスポットSP s1がウォブルドグループWGをトレースし、サイドビームスポットSP s2がノンウォブルドグループNWGをトレースすることになる。
【０１７５】
このように、メインビームスポットSPmが、トラックT r・Aをトレースする場合とトラックTr・Bをトレースする場合とでは、サイドビームスポットSP s1，SP s2がトレースすべきグループとしては、必然的にウォブルドグループＷGとノンウォブルドグループNWGとで入れ替わることになる。
【０１７６】
サイドビームスポットSP s1，SP s2の反射によりフォトディテクタにて得られる検出信号としては、ウォブルドグループWGとノンウォブルドグループNWGの何れをトレースしているのかで異なる波形が得られることから、上記検出信号に基づいて、例えば、現在サイドビームスポットSP s1，SP s2のうち、どちらがウォブルドグループWG（あるいはノンウォブルドグループNWG）をトレースしているのかを判別することにより、メインビームがトラックTr・A，Tr・Bのどちらをトレースしているのかが識別できることになる。
【０１７７】
図１９は、上記のようなトラック構造を有するMD−DATA２フォーマットの主要スペックをMD−DATA１フォーマットと比較して示す図である。
【０１７８】
先ず、MD−DATA１フォーマットとしては、トラックピッチは１．６μm、ビット長は０．５９μm／bitとなる。また、レーザ波長入＝７８０nmとされ、光学ヘッドの開口率NA＝０．４５とされる。
【０１７９】
記録方式としては、グループ記録方式を採っている。つまり、グループをトラックとして記録再生に用いるようにしている。アドレス方式としては、シングルスパイラルによるグループ（トラック）を形成したうえで、このグループの両側に対してアドレス情報としてのウォブルを形成したウォブルドグループを利用する方式を採るようにされている。
【０１８０】
記録データの変調方式としてはEFM（８−１４変換）方式を採用している。また、誤り訂正方式としてはACIRC（Advanced Cross Interleave Reed−Solomon code）が採用され、データインターリーブには畳み込み型を採用している。このため、データの冗長度としては４６．３％となる。
【０１８１】
また、MD−DATA１フォーマットでは、ディスク駆動方式としてCLV（Constant Linear Velocity）が採用されており、CLVの線速度としては、１．２m／sとされる。そして、記録再生時の標準のデータレートとしては、１３３kB／sとされ、記録容量としては、１４０MBとなる。
【０１８２】
これに対して、本例のビデオカメラ１が対応できるMD−DATA２フォーマットとしては、トラックピッチは０．９５μm、ビット長は０．３９μm／bitとされ、共にMD−DATA１フォーマットよりも短くなっていることが分かる。そして、例えば上記ピット長を実現するために、レーザ波長入＝６５０nm、光学ヘッドの開口率NA＝０．５２として、合焦位置でのビームスポット径を絞ると共に光学系としての帯域を拡げている。
【０１８３】
記録方式としては、図１７及び図１８により説明したように、ランド記録方式が採用され、アドレス方式としてはインターレースアドレッシング方式が採用される。また、記録データの変調方式としては、高密度記録に適合するとされるRLL（１，７）方式（RLL；Run Length Limited）が採用され、誤り訂正方式としてはRS−PC方式、データインターリーブにはブロック完結型が採用される。そして、上記各方式を採用した結果、データの冗長度としては、１９．７％にまで抑制することが可能となっている。
【０１８４】
MD−DATA２フォーマットにおいても、ディスク駆動方式としてはCLVが採用されるのであるが、その線速度としては２．０m／sとされ、記録再生時の標準のデータレートとしては５８９kB／sとされる。そして、記録容量としては６５０MBを得ることができ、MD−DATA１フォーマットと比較した場合には、４倍強の高密度記録化が実現されたことになる。
【０１８５】
例えば、MD−DATA２フォーマットにより動画像の記録を行うとして、動画像データについてMPEG２による圧縮符号化を施した場合には、符号化データのビットレートにも依るが、時間にして１５分〜１７分の動画を記録することが可能とされる。また、音声信号データのみを記録するとして、音声データについてATRAC（Adaptive Transform Acoustic Coding）２による圧縮処理を施した場合には、時間にして１０時間程度の記録を行うことができる。
【０１８６】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したビデオカメラ１が機能的に実現される。
【０１８７】
図２０は、上述のようなビデオカメラ１として機能するコンピュータ５０１の一実施の形態の構成を示すブロック図である。CPU（Central Processing Unit）５１１にはバス５１５を介して入出力インタフェース５１６が接続されており、CPU５１１は、入出力インタフェース５１６を介して、ユーザから、キーボード、マウスなどよりなる入力部５１８から指令が入力されると、例えば、ROM（Read Only Memory）５１２、ハードディスク１０Ａ４、またはドライブ５２０に装着される磁気ディスク５３１、光ディスク５３２、光磁気ディスク５３３、若しくは半導体メモリ５３４などの記録媒体に格納されているプログラムを、RAM（Random Access Memory）５１３にロードして実行する。これにより、上述した各種の処理が行われる。さらに、CPU５１１は、その処理結果を、例えば、入出力インタフェース５１６を介して、LCD（Liquid Crystal Display）などよりなる出力部５１７に必要に応じて出力する。なお、プログラムは、ハードディスク１０Ａ４やROM５１２に予め記憶しておき、コンピュータ５０１と一体的にユーザに提供したり、磁気ディスク５３１、光ディスク５３２、光磁気ディスク５３３，半導体メモリ５３４等のパッケージメディアとして提供したり、衛星、ネットワーク等から通信部５１９を介してハードディスク１０Ａ４に提供することができる。
【０１８８】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【０１８９】
【発明の効果】
本発明の情報処理装置および方法、並びにプログラムによれば、入力データの少なくとも一部を、内部の内部記憶媒体に記憶し、入力データの少なくとも一部を、外部の外部記憶媒体に記憶するようにしたので、入力データを適切に利用することができるように、入力データを記憶することができる。
【図面の簡単な説明】
【図１】本発明を適用したビデオカメラの利用例を示す図である。
【図２】図１のビデオカメラの構成例を示すブロック図である。
【図３】第１の記録処理を説明するためのフローチャートである。
【図４】インデックステーブルの例を示す図である。
【図５】データ構成を説明する図である。
【図６】コンテンツ利用処理を説明するフローチャートである。
【図７】コンテンツリストの表示例を示す図である。
【図８】他のコンテンツ利用処理を説明するフローチャートである。
【図９】他のコンテンツリストの表示例を示す図である。
【図１０】他のコンテンツリストの表示例を示す図である。
【図１１】第２の記録処理を説明するためのフローチャートである。
【図１２】第３の記録処理を説明するためのフローチャートである。
【図１３】第４の記録処理を説明するためのフローチャートである。
【図１４】図１３のステップＳ７５の処理の詳細を説明するためのフローチャートである。
【図１５】図１のビデオカメラ１の構成例を示す他のブロック図である。
【図１６】図１５のメディアドライブ部４０の詳細な構成例を示すブロック図である。
【図１７】ビデオカメラに対応するディスクのトラック構造を示す図である。
【図１８】図１７のトラック構造のトラック部分の拡大した図である。
【図１９】図１のビデオカメラに対応するディスクの仕様を説明する図である。
【図２０】パーソナルコンピュータ５０１の構成例を示すブロック図である。
【符号の説明】
１  ビデオカメラ，  １０  記録メディア，  １１  制御部，  １２  入出力部，  １３  操作部，  １４  外部インタフェース，  １５  内部メモリ制御部，  １６  内部メモリ，  １７  記録メディア制御部，  １８  通信部
【図１】
0004385273.tif 000002
【図２】
0004385273.tif 000003
【図３】
0004385273.tif 000004
【図４】
0004385273.tif 000005
【図５】
0004385273.tif 000006
【図６】
0004385273.tif 000007
【図７】
0004385273.tif 000008
【図８】
0004385273.tif 000009
【図９】
0004385273.tif 000010
【図１０】
0004385273.tif 000011
【図１１】
0004385273.tif 000012
【図１２】
0004385273.tif 000013
【図１３】
0004385273.tif 000014
【図１４】
0004385273.tif 000015
【図１５】
0004385273.tif 000016
【図１６】
0004385273.tif 000017
【図１７】
0004385273.tif 000018
【図１８】
0004385273.tif 000019
【図１９】
0004385273.tif 000020
【図２０】
0004385273.tif 000021